(57)【要約】【課題】丸ブラシ等の付属具に付着した塵埃を付属具の不使用時に使用者の手を汚すことなく除去できる電気掃除機を提供すること。【解決手段】集塵室５及び該集塵室５に吸込負圧を作用させる電動送風機８が設けられた掃除機本体１と、一端部が前記集塵室５に接続された集塵ホース９と、前記集塵ホース９の他端部に設けられた手元操作パイプ１０と、前記手元操作パイプ１０に取り付けられた付属具収納部材（付属具収納パイプ１６）を備えている。しかも、前記付属具収納部材は前記手元操作パイプ１０にバイパス風路１６ａを形成する付属具収納パイプ１６であり、前記付属具収納パイプ１６には付属具配設口１７が形成されていると共に、前記手元操作パイプ１０から前記集塵ホース９への吸込風の流れを遮断して前記バイパス風路１６ａから前記集塵ホース９への吸込風の流れを生じさせる風路切替手段（切換弁２０）が設けられている。【選択図】図２
2008029477.tif 000002
【特許請求の範囲】
【請求項１】
集塵室及び該集塵室に吸込負圧を作用させる電動送風機が設けられた掃除機本体と、一端部が前記集塵室に接続された集塵ホースと、前記集塵ホースの他端部に設けられた手元操作パイプと、前記手元操作パイプに取り付けられた付属具収納部材を備える電気掃除機であって、
前記付属具収納部材は前記手元操作パイプにバイパス風路を形成する付属具収納パイプであり、前記付属具収納パイプには付属具配設口が形成されていると共に、前記手元操作パイプから前記集塵ホースへの吸込風の流れを遮断して前記バイパス風路から前記集塵ホースへの吸込風の流れを生じさせる風路切替手段が設けられていることを特徴とする電気掃除機。
【請求項２】
請求項１に記載の電気掃除機において、前記手元操作パイプには内部の吸込風路の上流及び下流に位置させて第１，第２接続口が形成され、前記第１，第２接続口には前記付属具収納パイプの両端部が接続されていると共に、前記吸込風路切替手段は前記吸込風路の前記第１，第２接続口間の部分と前記第１接続口との開閉切替を行う切換弁であることを特徴とする電気掃除機。
【請求項３】
請求項１に記載の電気掃除機において、前記手元操作パイプには内部の吸込風路の上流及び下流に位置させて第１，第２接続口が形成され、前記第１，第２接続口には前記付属具収納パイプの両端部が接続され、前記吸込風路切替手段は前記吸込風路の前記第１接続口より上流側の部分と前記第１接続口の開閉切替を行う切替弁であると共に、前記切換弁で前記吸込風路の前記第１接続口より上流側の部分を遮断し且つ前記第１接続口を開いて、前記付属具配設口に付属具である丸ブラシのブラシ毛の部分を配設することにより、前記丸ブラシ内の風路を介して吸い込まれる外気が前記バイパス風路から前記集塵ホースへの吸込風の流れとして生じることを特徴とする電気掃除機。
【請求項４】
請求項１に記載の電気掃除機において、前記手元操作パイプには内部の吸込風路の上流及び下流に位置させて第１，第２接続口が形成されていると共に前記第１，第２接続口間に位置させて外気取入口が形成され、前記第１，第２接続口には前記付属具収納パイプの両端部が接続され、前記外気取入口を開閉する開閉蓋が設けられ、前記吸込風路切替手段は、前記外気取入口と前記第２接続口間において前記吸込風路の開閉を行う開閉弁と、前記吸込風路の前記第１接続口より上流側の部分と前記第１接続口の開閉切替を行う切替弁を有すると共に、前記開閉弁で前記吸込風路途中を閉成し且つ前記吸込風路の前記第１接続口より上流側の部分を遮断し、前記外気取入口を開くことにより、前記外気取入口から吸い込まれる外気が前記バイパス風路から前記集塵ホースへの吸込風の流れを生じさせることを特徴とする電気掃除機。
【発明の詳細な説明】
【技術分野】
【０００１】
この発明は、手元操作パイプに付属具を保持させるようにした電気掃除機に関するものである。
【背景技術】
【０００２】
従来の電気掃除機としては、集塵室及びこの集塵室に吸込負圧を作用させる電動送風機が掃除機本体内に設けられ、この集塵室に集塵ホースの一端部が着脱可能に接続され、この集塵ホースの他端部に手元操作パイプが設けられていると共に、この手元操作パイプに延長パイプを介して吸込口体が接続されたキャニスタータイプのものが知られている。
【０００３】
このような電気掃除機においては、付属具である丸ブラシ等を使用しないとき、この付属具を手元操作パイプに保持させて収納するようにすることも知られている（例えば、特許文献１参照）。
【特許文献１】特開２００１−１５７６５１号公報
【発明の開示】
【発明が解決しようとする課題】
【０００４】
しかしながら、丸ブラシのブラシ毛に付着した綿埃等の塵埃はそのまま付着した状態で残るために、このブラシ毛に付着した塵埃を使用者が手で除去するしかなく、手が汚れ、好ましくなかった。
【０００５】
そこで、この発明は、丸ブラシ等の付属具に付着した塵埃を付属具の不使用時に使用者の手を汚すことなく除去できる電気掃除機を提供することを目的とするものである。
【課題を解決するための手段】
【０００６】
この目的を達成するため、この発明は、集塵室及び該集塵室に吸込負圧を作用させる電動送風機が設けられた掃除機本体と、一端部が前記集塵室に接続された集塵ホースと、前記集塵ホースの他端部に設けられた手元操作パイプと、前記手元操作パイプに取り付けられた付属具収納部材を備える電気掃除機であって、前記付属具収納部材は前記手元操作パイプにバイパス風路を形成する付属具収納パイプであり、前記付属具収納パイプには付属具配設口が形成されていると共に、前記手元操作パイプから前記集塵ホースへの吸込風の流れを遮断して前記バイパス風路から前記集塵ホースへの吸込風の流れを生じさせる風路切替手段が設けられている電気掃除機としたことを特徴とする。
【発明の効果】
【０００７】
この構成によれば、付属具配設口から付属具収納パイプ内に付属具を配設すると共に、風路切替手段により手元操作パイプから集塵ホースへの吸込風の流れを遮断してバイパス風路から集塵ホースへの吸込風の流れを生じさせることにより、この吸込風で丸ブラシ等の付属具に付着した塵埃を付属具の不使用時に使用者の手を汚すことなく除去できる。
【発明を実施するための最良の形態】
【０００８】
以下、この発明の実施の形態を図面に基づいて説明する。
[構成]
図１において、１は電気掃除機の掃除機本体で、この掃除機本体１は本体ケース１ａを有する。この本体ケース１ａは、下ケース２と、下ケースの２の後部上に取り付けられた上ケース３と、下ケース２の前部上に上下に開閉可能に取り付けられた集塵室カバー４を有する。
【０００９】
そして、下ケース２の前部と集塵室カバー４との間には集塵室５が形成され、下ケース２の後部との間には送風機室６が形成されている。この集塵室５と送風機室６は図示しない隔壁により区画され、この隔壁には集塵室５と送風機室６とを連通させる連通路（図示せず）が形成されている。
【００１０】
また、下ケース２の前端部には集塵室５に連通するホース接続口２ａが形成され、集塵室５内には集塵袋である紙パックフィルタ７が配設され、送風機室６には集塵室５に吸込負圧を作用させる電動送風機８が配設されている。尚、８Ａは電動送風機８の吸込開口である。更に、ホース接続口２ａ及び紙パックフィルタ７には集塵ホース９の一端部に設けられた接続筒体９ａが接続されている。この集塵ホース９の他端部には手元操作パイプ１０が接続され、手元操作パイプ１０には延長パイプ１１を介して吸込口体１２が接続されている。また、吸込口体１２内には吸込室（図示せず）が設けられ、この吸込室の吸込開口（図示せず）は吸込口体１２の下面に開口している。
【００１１】
この手元操作パイプ１０には操作パネル１３が設けられている。この操作パネル１３には、電動送風機８のＯＮ操作及びその吸込風量の「弱」・「中」の切り替えに用いられるスイッチＳ１と、電動送風機８をＯＮさせて吸込風量を「強」にするスイッチＳ２と、電動送風機８のＯＦＦ操作に用いられるスイッチＳ３が設けられている。
【００１２】
また、手元操作パイプ１０内には、図１の集塵ホース９及び延長パイプ１１に連通する吸込風路１０ａが図２に示したように形成されている。この手元操作パイプ１０には、内部の吸込風路１０ａの上流及び下流に位置させて第１，第２接続口１４，１５が形成されている。尚、図２において吸込風路１０ａは、左側が上流側になり、右側が下流になる。
【００１３】
更に、第１，第２接続口１４，１５には付属具収納パイプ１６の両端部が接続されている。１６ａは、付属具収納パイプ１６内のバイパス風路である。この付属具収納パイプ１６には、手元操作パイプ１０とは反対側に位置させて付属具配設口１７が形成されている。この付属具配設口１７は、付属具収納パイプ１６に対して着脱可能に取り付けられたカバー１８で閉成されている。尚、このカバー１８を付属具収納パイプ１６に着脱可能にする構成としては係止爪や固定ネジ等の周知の手段を採用できるので、その詳細な説明は省略する。
【００１４】
しかも、吸込風路１０ａ内には、支持軸１９を介して手元操作パイプ１０に回動可能に取り付けられた切換弁（吸込風路切替手段）２０が配設されている。尚、支持軸１９は切換弁２０と一体に設けられている。
【００１５】
この支持軸１９には図１Ａに示したように切替操作レバー２１が一体に設けられている。この切替操作レバー２１は、付属具収納パイプ１６の手元操作パイプ１０への取付部１０ｂの側面に配設されている。また、取付部１０ｂの側面には、第１，第２ストッパ２２，２３が突設されている。更に、切替操作レバー２１は、第１，第２ストッパ２２，２３間に配設されていて、矢印Ａ１で示したように９０°回動できるようになっている。
【００１６】
そして、切換弁２０は、切替操作レバー２１を矢印Ａ１で示したように回動操作することで、図２に示したように第１接続口１４を破線のように閉成する位置と、第１接続口１４の直下流において吸込風路１０ａを実線の如く遮断（閉成）する位置（第１，第２接続口１４，１５間の部分）との間で回動させられるようになっている。
【００１７】
しかも、切換弁２０が第１接続口１４を破線のように閉成している位置では切替操作レバー２１が第１ストッパ２２に当接し、切換弁２０が第１接続口１４の直下流において吸込風路１０ａを実線の如く遮断（閉成）する位置では第２ストッパ２３に当接するようになっている。
[作用]
次に、このような構成の電気掃除機の作用を説明する。
【００１８】
このような構成において、通常は、切替操作レバー２１を第１ストッパ２２に当接させて、切換弁２０により第１接続口１４を破線のように閉成させておく。また、スイッチＳ１又はスイッチＳ２をＯＮさせると、電動送風機８が駆動されて、電動送風機８の吸込負圧を集塵室５に作用する。この吸込負圧は、紙パックフィルタ７，集塵ホース９，手元操作パイプ１０及び延長パイプ１１を介して吸込口体１２の吸込室（図示せず）に作用する。
【００１９】
この吸込負圧により吸込口体１２の吸込室（図示せず）には清掃面の塵埃が空気と共に吸い込まれる。そして、この塵埃及び空気は、延長パイプ１１，手元操作パイプ１０及び集塵ホース９を介して紙パックフィルタ７内に吸い込まれる。
【００２０】
この後、空気は、紙パックフィルタ７を透過して吸込開口（図示せず）から電動送風機８内に吸い込まれて、内部を冷却した後、排出されて図示しない排気口から大気に排出される。この際、塵埃は紙パックフィルタ７に捕捉される。
【００２１】
また、図２に示した丸ブラシ（付属具）２４は、接続パイプ（筒状ブラシ台）２４ａと、この接続パイプ２４ａの先端に植毛したブラシ毛２４ｂを有する。この丸ブラシ２４は、接続パイプ２４ａを延長パイプ１１に代えて手元操作パイプ１０に接続して使用する。
【００２２】
そして、この丸ブラシ２４は、その不使用時に図２に示したように付属具収納パイプ１６内に収納しておく。この収納は、カバー１８を外して、丸ブラシ２４を付属具配設口１７から付属具収納パイプ１６内に配設した後、カバー１８を付属具収納パイプ１６に取り付けることで、実行できる。
【００２３】
この状態で、切替操作レバー２１を第２ストッパ２３に当接させて、切換弁２０で第１接続口１４の直下流において吸込風路１０ａを実線の如く遮断（閉成）させる。一方、吸込口体１２を清掃面から浮かせた状態としておく。
【００２４】
そして、上述したように電動送風機８を駆動させて、電動送風機８の吸込負圧を集塵室５に作用させると、吸込口体１２の吸込室（図示せず）には空気が吸い込まれる。そして、この空気は、延長パイプ１１，手元操作パイプ１０の上流端を介して第１接続口１４から付属具収納パイプ１６内に矢印Ａ１２で示したように吸い込まれる。この吸い込まれた空気は、付属具収納パイプ１６内の丸ブラシ２４のブラシ毛２４ｂ等に付着している塵埃を除去して、この除去した塵埃と共に矢印Ａ２で示したように流れて、第２接続口１５から図１の集塵ホース９に吸い込まれた後、紙パックフィルタ７内に吸い込まれる。
【００２５】
この後、空気は、紙パックフィルタ７を透過して吸込開口（図示せず）から電動送風機８内に吸い込まれて、内部を冷却した後、排出されて図示しない排気口から大気に排出される。この際、丸ブラシ２４のブラシ毛２４ｂ等から除去された塵埃は紙パックフィルタ７に捕捉されることになる。従って、使用者は手を汚すことなく丸ブラシ２４のブラシ毛２４ｂ等に付着した塵埃を、丸ブラシ２４の不使用時に除去できる。
（変形例１）
また、上述した構成において、カバー１８に図３に示したような付属具保持用の膨出突部１８ａを設けて、この膨出突部１８ａ内の取付穴１８ｂ内に丸ブラシ２４の接続パイプ２４ａを嵌合保持させると共に、このカバー１８で付属具収納パイプ１６の付属具配設口１７を閉成させたときに、丸ブラシ２４のブラシ毛２４ｂのみが付属具収納パイプ１６内に突出する構成としても良い。
【００２６】
この場合にも、切換弁２０で第１接続口１４の直下流において吸込風路１０ａを実線の如く遮断（閉成）させる一方、吸込口体１２を清掃面から浮かせた状態としておく。
【００２７】
そして、上述したように電動送風機８を駆動させて、電動送風機８の吸込負圧を集塵室５に作用させると、吸込口体１２の吸込室（図示せず）には空気が吸い込まれる。そして、この空気は、延長パイプ１１，手元操作パイプ１０の上流端を介して第１接続口１４から付属具収納パイプ１６内に矢印Ａ１２で示したように吸い込まれる。
【００２８】
この吸い込まれた空気は、付属具収納パイプ１６内の丸ブラシ２４のブラシ毛２４ｂ等に付着している塵埃を除去して、この除去した塵埃と共に矢印Ａ２で示したように流れて、第２接続口１５から図１の集塵ホース９に吸い込まれた後、紙パックフィルタ７内に吸い込まれる。
【００２９】
この際、ブラシ毛２４ｂが付属具収納パイプ１６内を流れる吸込風に対して垂直になっているので、ブラシ毛２４ｂに主に付着している塵埃を効率よく紙パックフィルタ７に捕集することができる。
（変形例２）
また、以上説明した実施例では、吸込口体１２から吸い込まれた空気を利用して、丸ブラシ２４に付着した塵埃をその不使用時に除去するようにした例を示したが、必ずしもこれに限定されるものではない。例えば、図４に示したように構成しても良い。
【００３０】
この図４では、吸込風路１０ａの第１接続口１４より上流側の部分に切換弁（風路切替手段）２５が配設されている。この切換弁２５には支持軸２６が一体に設けられ、この支持軸２６は手元操作パイプ１０に回動自在に取り付けられている。この支持軸２６にも切替操作レバー２１と同様な切替操作レバー（図示せず）が一体に設けられている。
【００３１】
そして、切換弁２５を実線の位置に位置させることで、吸込風路１０ａの第１接続口１４より上流側の部分が閉成（遮断）されると共に、第１接続口１４が吸込風路１０ａに開口するようになっている。また、切換弁２５を破線の位置に位置させることで、第１接続口１４が閉成されるようになっている。
【００３２】
また、吸込風路１０ａの第２接続口１５の直上流には開閉弁（風路切替手段である切換弁）２７が配設されている。この開閉弁２７には支持軸２８が一体に設けられ、この支持軸２８は手元操作パイプ１０に回動自在に取り付けられている。この支持軸２８にも切替操作レバー２１と同様な切替操作レバー（図示せず）が一体に設けられている。
【００３３】
そして、開閉弁２７を実線の位置に位置させることで、吸込風路１０ａの第２接続口１５より上流側の部分が閉成（遮断）されると共に、第２接続口１５が吸込風路１０ａに開口するようになっている。また、開閉弁２７を破線の位置に位置させることで、第２接続口１５が閉成されるようになっている。
【００３４】
しかも、手元操作パイプ１０には、第１，第２接続口１４，１５間に位置させて吸込風路１０ａに開口する外気取入口２９が形成されている。この外気取入口２９はスライド蓋３０で開閉可能に設けられている。この取り付けは、例えば図示しないガイド溝間にスライド蓋３０の両側部をスライド自在に保持させることで実現できる。
【００３５】
次に、このような構成の作用を説明する。
【００３６】
このような構成において通常の清掃時には、切換弁２５で第１接続口１４を閉成すると共に、開閉弁２７で第２接続口１５を閉成し、スライド蓋３０で外気取入口２９を閉成しておく。
【００３７】
また、丸ブラシ２４の塵埃を付属具収納パイプ１６内で除去するときには、先ず切換弁２５を実線の位置に位置させて、吸込風路１０ａの第１接続口１４より上流側の部分を閉成（遮断）させると共に、第１接続口１４を吸込風路１０ａの上流端部に開口させる。
【００３８】
更に、開閉弁２７を実線の位置に位置させて、吸込風路１０ａの第２接続口１５より上流側の部分を閉成（遮断）させると共に、第２接続口１５を吸込風路１０ａの下流端部に開口させる。
【００３９】
また、スライド蓋３０を実線の位置に位置させて、吸込風路１０ａを外気取入口２９を介して大気に開口させる。
【００４０】
この状態で、上述した電動送風機８を駆動させて、電動送風機８の吸込負圧を集塵室５に作用させると、外気が矢印Ａ３で示したように外気取入口２９から吸込風路１０ａに吸い込まれる。この吸込風路１０ａに吸い込まれた外気は、第１接続口１４から付属具収納パイプ１６内に吸い込まれ、付属具収納パイプ１６内の丸ブラシ２４のブラシ毛２４ｂ等に付着している塵埃を除去し、この除去した塵埃と共に第２接続口１５から矢印Ａ４で示したように流れて、図１の集塵ホース９に吸い込まれた後、紙パックフィルタ７内に吸い込まれる。
【００４１】
この後、空気は、図１の紙パックフィルタ７を透過して吸込開口（図示せず）から電動送風機８内に吸い込まれて、内部を冷却した後、排出されて図示しない排気口から大気に排出される。この際、丸ブラシ２４のブラシ毛２４ｂ等から除去された塵埃は紙パックフィルタ７に捕捉されることになる。従って、使用者は手を汚すことなく丸ブラシ２４のブラシ毛２４ｂ等に付着した塵埃を、丸ブラシ２４の不使用時に除去できる。
（変形例３）
また、図５の構成において、開閉弁２７及び外気取入口２９を省略すると共に、カバー１８に丸ブラシ２４の接続パイプ２４ａを保持させる構成としても良い。この場合において、丸ブラシ２４の塵埃を付属具収納パイプ１６内で除去するときには、先ず切換弁２５を実線の位置に位置させて、吸込風路１０ａの第１接続口１４より上流側の部分を閉成（遮断）させると共に、第１接続口１４を吸込風路１０ａの上流端部に開口させる。
【００４２】
また、丸ブラシ２４の塵埃を付属具収納パイプ１６内で除去するときには、先ず切換弁２５を実線の位置に位置させて、吸込風路１０ａの第１接続口１４より上流側の部分を閉成（遮断）させると共に、第１接続口１４を吸込風路１０ａの上流端部に開口させる。
【００４３】
この状態で、上述した電動送風機８を駆動させて、電動送風機８の吸込負圧を集塵室５に作用させると、外気が矢印Ａ５で示したように丸ブラシ２４の接続パイプ２４ａから吸込風路１０ａ内に吸い込まれる。この吸込風路１０ａに吸い込まれた外気は、付属具収納パイプ１６内の丸ブラシ２４のブラシ毛２４ｂ等に付着している塵埃を除去し、この除去した塵埃と共に第２接続口１５から矢印Ａ６で示したように流れて、図１の集塵ホース９に吸い込まれた後、紙パックフィルタ７内に吸い込まれる。
【００４４】
この後、空気は、図１の紙パックフィルタ７を透過して吸込開口（図示せず）から電動送風機８内に吸い込まれて、内部を冷却した後、排出されて図示しない排気口から大気に排出される。この際、丸ブラシ２４のブラシ毛２４ｂ等から除去された塵埃は紙パックフィルタ７に捕捉されることになる。従って、使用者は手を汚すことなく丸ブラシ２４のブラシ毛２４ｂ等に付着した塵埃を、丸ブラシ２４の不使用時に除去できる。
【００４５】
以上説明したように、この発明の実施の形態の電気掃除機は、集塵室５及び該集塵室５に吸込負圧を作用させる電動送風機８が設けられた掃除機本体１と、一端部が前記集塵室５に接続された集塵ホース９と、前記集塵ホース９の他端部に設けられた手元操作パイプ１０と、前記手元操作パイプ１０に取り付けられた付属具収納部材（付属具収納パイプ１６）を備えている。しかも、前記付属具収納部材は前記手元操作パイプ１０にバイパス風路１６ａを形成する付属具収納パイプ１６であり、前記付属具収納パイプ１６には付属具配設口１７が形成されていると共に、前記手元操作パイプ１０から前記集塵ホース９への吸込風の流れを遮断して前記バイパス風路１６ａから前記集塵ホース９への吸込風の流れを生じさせる風路切替手段（切換弁２０，２５、開閉弁２７）が設けられている。
【００４６】
この構成によれば、付属具配設口１７から付属具収納パイプ１６内に付属具（丸ブラシ２４）を配設すると共に、風路切替手段（切換弁２０，２５、開閉弁２７）により手元操作パイプ１０から集塵ホース９への吸込風の流れを遮断してバイパス風路１６ａから集塵ホース９への吸込風の流れを生じさせることにより、この吸込風で丸ブラシ等の付属具に付着した塵埃を付属具の不使用時に使用者の手を汚すことなく除去できる。
【００４７】
また、この発明の実施の形態の電気掃除機において、前記手元操作パイプ１０には内部の吸込風路１０ａの上流及び下流に位置させて第１，第２接続口１４，１５が形成され、前記第１，第２接続口１４，１５には前記付属具収納パイプ１６の両端部が接続されていると共に、前記吸込風路切替手段は前記吸込風路１０ａの前記第１，第２接続口１４，１５間の部分と前記第１接続口１５との開閉切替を行う切換弁２０である構成としている。
【００４８】
この構成によれば、延長パイプ１１や吸込口体１２を手元操作パイプ１０に接続した状態で、不使用時の付属具に付着した塵埃を手を汚すことなく除去できる。
【００４９】
また、この発明の実施の形態の電気掃除機において、前記手元操作パイプ１０には内部の吸込風路１０ａの上流及び下流に位置させて第１，第２接続口１４，１５が形成され、前記第１，第２接続口１４，１５には前記付属具収納パイプ１６の両端部が接続され、前記吸込風路切替手段は前記吸込風路１０ａの前記第１接続口１４より上流側の部分と前記第１接続口１５の開閉切替を行う切替弁２５であると共に、前記切換弁２５で前記吸込風路１０ａの前記第１接続口１４より上流側の部分を遮断し且つ前記第１接続口１４を開いて、前記付属具配設口１７に付属具である丸ブラシ２４のブラシ毛２４ｂの部分を配設することにより、前記丸ブラシ２４内の風路を介して吸い込まれる外気が前記バイパス風路１６ａから前記集塵ホース９への吸込風の流れとして生じるようになっている。
【００５０】
この構成よれば、延長パイプ１１や吸込口体１２を手元操作パイプ１０に接続した状態でも、延長パイプ１１や吸込口体１２を介して空気をバイパス風路１６ａに吸い込まれることがなく、直接に丸ブラシ等を介して外気を吸い込ませることが可能となる。この結果、吸込口体１２が清掃面に載置されていても、清掃面の塵埃が吸い込まれることがないので、吸い込まれた塵埃が丸ブラシ等に付着するようなことはない。
【００５１】
また、この発明の実施の形態の電気掃除機において、前記手元操作パイプ１０には内部の吸込風路１０ａの上流及び下流に位置させて第１，第２接続口１４，１５が形成されていると共に前記第１，第２接続口１４，１５間に位置させて外気取入口２９が形成され、前記第１，第２接続口１４，１５には前記付属具収納パイプ１６の両端部が接続され、前記外気取入口２９を開閉する開閉蓋（スライド蓋３０）が設けられ、前記吸込風路切替手段は、前記外気取入口２９と前記第２接続口１５間において前記吸込風路１０ａの開閉を行う開閉弁２７と、前記吸込風路１０ａの前記第１接続口１４より上流側の部分と前記第１接続口１４の開閉切替を行う切替弁２０を有すると共に、前記開閉弁２７で前記吸込風路１０ａ途中を閉成し且つ前記吸込風路１０ａの前記第１接続口１４より上流側の部分を遮断し、前記外気取入口２９を開くことにより、前記外気取入口２９から吸い込まれる外気が前記バイパス風路１６ａから前記集塵ホース９への吸込風の流れを生じさせるようになっている。
【００５２】
この構成よれば、延長パイプ１１や吸込口体１２を手元操作パイプ１０に接続した状態でも、延長パイプ１１や吸込口体１２を介して空気をバイパス風路１６ａに吸い込まれることがなく、外気取入口を介して外気を吸い込ませることが可能となる。この結果、吸込口体１２が清掃面に載置されていても、清掃面の塵埃が吸い込まれることがないので、吸い込まれた塵埃が丸ブラシ等に付着するようなことはない。
【図面の簡単な説明】
【００５３】
【図１】この発明にかかる電気掃除機の概略斜視図である。
【図１Ａ】図１の要部拡大図である。
【図２】図２の手元操作パイプ及び付属具収納パイプの断面図である。
【図３】この発明の変形例を示す断面図である。
【図４】この発明の他の変形例を示す断面図である。
【図５】この発明の更に他の変形例を示す断面図である。
【符号の説明】
【００５４】
１・・・掃除機本体
５・・・集塵室
８・・・電動送風機
９・・・集塵ホース
１０・・・手元操作パイプ
１０ａ・・・吸込風路
１４・・・第１接続口
１５・・・第２接続口
１６・・・付属具収納パイプ（付属具収納部材）
１６ａ・・・バイパス風路
１７・・・付属具配設口
２０・・・切換弁（風路切替手段）
２４・・・丸ブラシ（付属具）
２５・・・切換弁（風路切替手段）
２７・・・開閉弁（風路切替手段）
２９・・・外気取入口
３０・・・スライド蓋（開閉蓋）
【図１】
2008029477.tif 000003
【図１Ａ】
2008029477.tif 000004
【図２】
2008029477.tif 000005
【図３】
2008029477.tif 000006
【図４】
2008029477.tif 000007
【図５】
2008029477.tif 000008